(57)【要約】【課題】  光学系の光路を反射光学部材で折り曲げる構成がとりやすく、５倍程度の高変倍比で、高い光学性能を有する奥行き方向が極めて薄い安価なズームレンズ。【解決手段】  正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４とを有し、全体として５群からなるズームレンズにおいて、第１レンズ群Ｇ１は、物体側から順に、負屈折力のレンズ成分、光路折り曲げ用の反射光学部材Ｐ、正屈折力のレンズ成分を有し、広角端から望遠端への変倍時に、第１レンズ群は像面Ｉに対して略固定であり、第２レンズ群Ｇ２は像側にのみ移動し、第４レンズ群Ｇ４は望遠端で広角端よりも物体側にあるように移動するズームレンズ。【選択図】        図１
2006098686.tif 000002
【特許請求の範囲】
【請求項１】
物体側から順に、正のパワーを有する第１レンズ群と、負のパワーを有する第２レンズ群と、正のパワーを有する第３レンズ群と、正のパワーを有する第４レンズ群とを有し、全体として５群からなるズームレンズにおいて、
前記第１レンズ群は、物体側から順に、負屈折力のレンズ成分、光路折り曲げ用の反射光学部材、正屈折力のレンズ成分を有し、広角端から望遠端への変倍時に、前記第１レンズ群は像面に対して略固定であり、前記第２レンズ群は像側にのみ移動し、前記第４レンズ群は望遠端で広角端よりも物体側にあるように移動することを特徴とするズームレンズ。
【請求項２】
以下の条件式を満足することを特徴とする請求項１記載のズームレンズ。
（１）    ０．８＜｜ｆ2 ／ｆw ｜＜４．０
ただし、ｆ2 ：第２レンズ群の焦点距離、
ｆw ：広角端での全系焦点距離、
である。
【請求項３】
以下の条件式を満足することを特徴とする請求項２記載のズームレンズ。
（２）    ０．８＜ｆ4 ／ｆw ＜４．０
ただし、ｆ4 ：第４レンズ群の焦点距離、
である。
【請求項４】
以下の条件式を満足することを特徴とする請求項１〜３の何れか１項記載のズームレンズ。
（３）    ０．８＜｜ｆ1n／√（ｆw ×ｆt ）｜＜３．０
（４）    ０．８＜ｆ1p／√（ｆw ×ｆt ）＜３．０
ただし、ｆ1n：第１レンズ群内の負レンズ成分の焦点距離、
ｆ1p：第１レンズ群内の正レンズ成分の焦点距離、
ｆw ：広角端での全系焦点距離、
ｆt ：望遠端での全系焦点距離、
である。
【請求項５】
前記第１レンズ群内の負レンズ成分及び正レンズ成分は、それぞれ単レンズからなることを特徴とする請求項１〜４の何れか１項記載のズームレンズ。
【請求項６】
前記第１レンズ群内の最も物体側の負レンズの像側面は、非球面を有する凹面であることを特徴とする請求項１〜５の何れか１項記載のズームレンズ。
【請求項７】
以下の条件式を満足することを特徴とする請求項１〜６の何れか１項記載のズームレンズ。
（６）    １．５＜ｆ1 ／ｆw ＜５．０
ただし、ｆ1 ：第１レンズ群の焦点距離、
ｆw ：広角端での全系焦点距離、
である。
【請求項８】
前記第２レンズ群は、２枚の負レンズと１枚の正レンズの３枚構成であることを特徴とする請求項１〜７の何れか１項記載のズームレンズ。
【請求項９】
前記第３レンズ群は、物体側に凸面を向けたメニスカス形状を有する単レンズで構成されていることを特徴とする請求項１〜８の何れか１項記載のズームレンズ。
【請求項１０】
前記第４レンズ群は、物体側から順に、正レンズ、正レンズ、負レンズから構成されていることを特徴とする請求項１〜９の何れか１項記載のズームレンズ。
【請求項１１】
次の条件式を満足することを特徴とする請求項１〜１０の何れか１項記載のズームレンズ。
（７）    ０．６＜｜ｆ5 ／ｆw ｜＜２０
（８）    ０．１＜｜ｆ5 ／ｆt ｜＜５．０
ただし、ｆ5 ：第５レンズ群の焦点距離、
ｆw ：広角端での全系焦点距離、
ｆt ：望遠端での全系焦点距離、
である。
【請求項１２】
以下の条件式を満足することを特徴とする請求項１〜１１の何れか１項記載のズームレンズ。
（９）    ３．５＜ｆt ／ｆw ＜１０
ただし、ｆw ：広角端での全系焦点距離、
ｆt ：望遠端での全系焦点距離、
である。
【請求項１３】
請求項１〜１２の何れか１項記載のズームレンズと、電子撮像素子とを有し、前記ズームレンズを通じて結像された像を前記電子撮像素子にて撮像して得られた画像データを加工して形状を変化させた画像データとして出力することが可能な電子撮像装置において、
前記結像光学系が略無限遠物点合焦時に以下の条件を満足することを特徴とする電子撮像装置。
（５）    ０．７５＜ｙ07／（ｆw ・ tanω07w ）＜０．９７
ただし、電子撮像素子の有効撮像面内（撮像可能な面内）で中心から最も遠い点までの距離（最大像高）をｙ10とすると、ｙ07＝０．７ｙ10、ω07w は広角端における電子撮像素子の有効撮像面上の中心からｙ07  の位置に結ぶ像点に対応する物点方向の光軸に対する角度である。
【発明の詳細な説明】
【技術分野】
【０００１】
本発明は、ズームレンズ及びそれを用いた電子撮像装置に関し、特に、ズームレンズ等の光学系部分の工夫により奥行き方向を薄型化し、かつ、広角端から望遠端までの広い焦点距離域をカバーする高変倍化を実現した安価なビデオカメラやデジタルカメラを始めとする電子撮像装置に関するものである。
【背景技術】
【０００２】
近年、銀塩３５ｍｍフィルム（１３５フォーマット）カメラに代わる次世代カメラとしてデジタルカメラ（電子カメラ）が注目されてきている。さらに、それは業務用高機能タイプからポータブルな普及タイプまで幅広い範囲でいくつものカテゴリーを有するようになってきている。本発明においては、特にポータブルな普及タイプのカテゴリーに注目し、高画質を確保しながら奥行きが薄く、使い勝手の良好な、広角端から望遠端までの広い焦点距離域をカバーする高変倍で安価なビデオカメラ、デジタルカメラを実現する技術を提供することをねらっている。
【０００３】
カメラの奥行き方向を薄くするのに最大のネックとなっているのは、光学系、特にズームレンズ系の最も物体側の面から撮像面までの厚みである。最近におけるカメラボディ薄型化技術の主流は、撮影時には光学系がカメラボディ内から突出しているが、携帯時には収納するいわゆる沈胴式鏡筒を採用することである。
【０００４】
しかし、沈胴式鏡筒を採用すると、レンズ収納状態から使用状態に立ち上げるための時間が掛かり、使い勝手上好ましくない。また、最も物体側のレンズ群を可動とすると、防水・防塵上好ましくない。
【０００５】
最近では、沈胴式鏡筒に見られるようなカメラの使用状態への立ち上げ時間（レンズのせり出し時間）がなく、防水・防塵上も好ましく、また、奥行き方向が極めて薄いカメラとするために、光学系の光路（光軸）をミラーやプリズム等の反射光学部材で折り曲げる構成をとるものも出現している。それは、最も物体側のレンズ群を位置固定レンズ群とし、その中に反射光学部材を設け、以降の光路はカメラボディの縦あるいは横方向に折り曲げ、奥行き方向の寸法を極力薄くしたものである。
【０００６】
加えて、現在のところ、本発明が注目するポータブルなカテゴリーのビデオカメラ、デジタルカメラにおいては、変倍比が３倍程度のものが主流であるが、５倍程度という高変倍比のものも期待されている。
【０００７】
折り曲げ光学系を採用したズームレンズで５倍程度の変倍比を持つ例として、特許文献１が開示されているものがある。しかしながら、特許文献１に記載のものは変倍比が５倍程度と大きいが、レンズ構成が６群構成と複雑であり、レンズ枚数も多く、コストが高いという欠点がある。
【特許文献１】特開２００４−３７９６７号公報
【発明の開示】
【発明が解決しようとする課題】
【０００８】
本発明は従来技術のこのような問題点に鑑みてなされたものであり、その目的は、沈胴式鏡筒に見られるようなカメラの使用状態への立ち上げ時間（レンズのせり出し時間）がなく、防水・防塵上も好ましく、また、奥行き方向が極めて薄いカメラとするために、光学系の光路（光軸）をプリズム等の反射光学部材で折り曲げる構成がとりやすく、かつ、５倍程度の高変倍比で、高い光学性能を有する奥行き方向が極めて薄い安価なズームレンズとそれを用いた電子撮像装置を提供することである。
【課題を解決するための手段】
【０００９】
上記目的を達成するために、本発明のズームレンズは、物体側から順に、正のパワーを有する第１レンズ群と、負のパワーを有する第２レンズ群と、正のパワーを有する第３レンズ群と、正のパワーを有する第４レンズ群とを有し、全体として５群からなるズームレンズにおいて、
前記第１レンズ群は、物体側から順に、負屈折力のレンズ成分、光路折り曲げ用の反射光学部材、正屈折力のレンズ成分を有し、広角端から望遠端への変倍時に、前記第１レンズ群は像面に対して略固定であり、前記第２レンズ群は像側にのみ移動し、前記第４レンズ群は望遠端で広角端よりも物体側にあるように移動することを特徴とするものである。
【００１０】
以下に、本発明において上記構成をとる理由と作用を説明する。
【００１１】
このような構成にすることで、第１レンズ群において光路を折り曲げて奥行き方向の厚さの薄型化を可能とすると共に、第２レンズ群を像面側にのみ移動し、第４レンズ群を望遠端で広角端よりも物体側にあるように移動させることで、変倍の負担を第２レンズ群と第４レンズ群に分担させ高変倍化を可能としている。さらに、変倍時に第１レンズ群を像面に対して略固定とすることで、カメラの使用状態への立ち上げ時間（レンズのせり出し時間）がなく、防水・防塵上も好ましい構成となっている。
【００１２】
さらに、本発明のような構成のズームレンズにおいて、変倍機能を効率的に行って小型化を確保するためには、第２レンズ群のパワーに関して、以下の条件式を満たすのがよい。
【００１３】
（１）    ０．８＜｜ｆ2 ／ｆw ｜＜４．０
ただし、ｆ2 ：第２レンズ群の焦点距離、
ｆw ：広角端での全系焦点距離、
である。
【００１４】
この条件式の上限の４．０を越えると、第２レンズ群のパワーが弱くなり過ぎ、変倍のための移動量が大きくなる。下限の０．８を越えると、第２レンズ群の近軸結像倍率が小さくなり、やはり変倍のための移動量が大きくなるし、収差補正も困難になる。
【００１５】
なお、以下の条件を満たすと、さらによい。
【００１６】
（１’）  ０．９＜｜ｆ2 ／ｆw ｜＜３．５
さらに、以下の条件を満たすと、最もよい。
【００１７】
（１”）  １．０＜｜ｆ2 ／ｆw ｜＜３．０
また、第２レンズ群と同様な理由から、第４レンズ群についても、以下の条件式を満たすのがよい。
【００１８】
（２）    ０．８＜ｆ4 ／ｆw ＜４．０
ただし、ｆ4 ：第４レンズ群の焦点距離、
である。
【００１９】
なお、以下の条件を満たすと、さらによい。
【００２０】
（２’）  ０．９＜ｆ4 ／ｆw ＜３．５
さらに、以下の条件を満たすと、最もよい。
【００２１】
（２”）  １．０＜ｆ4 ／ｆw ＜３．０
また、本発明の目的である小型化を実現するために、光路折り曲げを物理的に成立させ、光路折り曲げ用の反射光学部材を小さく薄くし、第１レンズ群を構成する各光学エレメントの径やサイズの肥大化を避けるためには、入射瞳位置をできるだけ入射面から浅くすることが重要である。そのためには、第１レンズ群内の負レンズ成分と正レンズ成分のパワーをできるだけ強くすることが必要である。このとき、以下の条件式を満足するようにするとよい。
【００２２】
（３）    ０．８＜｜ｆ1n／√（ｆw ×ｆt ）｜＜３．０
（４）    ０．８＜ｆ1p／√（ｆw ×ｆt ）＜３．０
ただし、ｆ1n：第１レンズ群内の負レンズ成分の焦点距離、
ｆ1p：第１レンズ群内の正レンズ成分の焦点距離、
ｆw ：広角端での全系焦点距離、
ｆt ：望遠端での全系焦点距離、
である。
【００２３】
条件式（３）、（４）共に上限値の３．０を越えると、入射瞳は深いままであり、第１レンズ群を構成する各光学エレメントの径やサイズが肥大化し、光路折り曲げが物理的に成立し難くなる。それぞれの下限値の０．８を越えると、第１レンズ群内の負レンズ成分と第１レンズ群内の正レンズ成分のパワーが強くなりすぎ、両者の相対偏心による性能劣化の敏感度が大きくなってしまう。また、軸外収差が発生しやすくなり、補正が困難になる。
【００２４】
なお、少なくとも以下の何れか一方を満たすと、さらによい。
【００２５】
（３’）  ０．９＜｜ｆ1n／√（ｆw ×ｆt ）｜＜２．５
（４’）  ０．９＜ｆ1p／√（ｆw ×ｆt ）＜２．５
さらに、少なくとも以下の何れか一方を満たすと、最もよい。
【００２６】
（３”）  １．０＜｜ｆ1n／√（ｆw ×ｆt ）｜＜２．０
（４”）  １．０＜ｆ1p／√（ｆw ×ｆt ）＜２．０
なお、第１レンズ群内の負レンズ成分及び正レンズ成分は、それぞれ単レンズからなることが小型化の観点から望ましい。
【００２７】
本発明のズームレンズは、入射面にパワーの強い負レンズを配置することになるため、歪曲収差が発生しやすい。しかし、歪曲収差を許容すると、画角の割に入射光線高が低くなるために、第１レンズ群内の光路折り曲げ用の反射光学部材を小さくすることが可能である。そこで、本発明においては、意図的に樽型歪曲収差を発生させ、このズームレンズを通じて結像された像を電子撮像素子にて撮像して得られた画像データを加工して形状を変化させる機能を用いて、光学系で発生した歪曲収差による画像歪みを補正して観察できるようにするとよい。特に、カメラ等の電子撮像装置からすでに補正された形の画像データとして出力するのが理想的である。なお、光学系については略無限遠物点合焦時にこのズームレンズの歪曲収差に関して、以下の条件式を満足するのがよい。
【００２８】
（５）    ０．７５＜ｙ07／（ｆw ・ tanω07w ）＜０．９７
ただし、電子撮像素子の有効撮像面内（撮像可能な面内）で中心から最も遠い点までの距離（最大像高）をｙ10とすると、ｙ07＝０．７ｙ10、ω07w は広角端における電子撮像素子の有効撮像面上の中心からｙ07  の位置に結ぶ像点に対応する物点方向の光軸に対する角度である。
【００２９】
この条件式（５）の上限の０．９７を越えて１前後の値のとき、歪曲収差が光学的に良好に補正されたことに相当するが、光学系の小型化を維持しながら広い視野角にわたって像として取り込むことが困難になる。下限の０．７５を越えると、光学系の歪曲収差による画像歪みを画像処理にて補正した場合、画角周辺部の放射方向への引き伸ばし倍率が高くなりすぎて、画像周辺部の鮮鋭度の劣化が目立つようになる。
【００３０】
なお、以下の条件を満たすと、さらによい。
【００３１】
（５’）  ０．８０＜ｙ07／（ｆw ・ tanω07w ）＜０．９６
さらに、以下の条件を満たすと、最もよい。
【００３２】
（５”）  ０．８５＜ｙ07／（ｆw ・ tanω07w ）＜０．９５
さて、次に第１レンズ群に関して詳述する。
【００３３】
上記したように、本発明の目的達成のためには入射瞳位置を浅くすることが重要である。そのためには、開口絞りまでの光学部品点数を極力少なくすることが必要である。また、第１レンズ群内の光路折り曲げ用反射光学部材よりも物体側にレンズ枚数を増やすと、光路を折り曲げたときの奥行き方向の厚さが薄くならない。したがって、本発明の後記の実施例においては、第１レンズ群内の負レンズ成分、第１レンズ群内の正レンズ成分は共に１枚の単レンズからなる構成としている。
【００３４】
また、第１レンズ群内で発生する収差を補正するには、第１レンズ群内の最も物体側の負レンズの像側面を凹面とし非球面を配するとよい。特に非点収差を補正するのに効果的である。また、この面の曲率を弱くすることができるので、製造誤差による性能劣化が少なくてすむし、奥行き方向の厚さ短縮にも貢献する。
【００３５】
また、光路折り曲げ用反射光学部材としては、プリズムを採用するのが奥行きを短縮する上で最も有利である。プリズム媒質のｄ線に対する屈折率は高い方が好ましく、１．７０以上がよく、１．８０以上ならばより好ましい。
【００３６】
第１レンズ群のパワーに関しては、以下の条件式を満足するのがよい。
【００３７】
（６）    １．５＜ｆ1 ／ｆw ＜５．０
ただし、ｆ1 ：第１レンズ群の焦点距離、
ｆw ：広角端での全系焦点距離、
である。
【００３８】
この条件式（６）の上限の５．０を越えると、軸外収差や色収差の補正が困難になる。下限の１．５を越えると、第２レンズ群の変倍時の近軸倍率が小さくなり、移動量の割に変倍率が小さくなりやすい。
【００３９】
なお、以下の条件を満たすと、さらによい。
【００４０】
（６’）  ２．０＜ｆ1 ／ｆw ＜４．５
さらに、以下の条件を満たすと、最もよい。
【００４１】
（６”）  ２．５＜ｆ1 ／ｆw ＜４．０
次に、第２レンズ群に関して詳述する。
【００４２】
第１レンズ群と同様に、第２ンズ群も、入射瞳位置を浅くするために開口絞りまでの部品点数を最小にすることが望ましい。開口絞りまでの部品点数を最小にしながら負の屈折力を確保するために、本発明の後記の実施例では、２枚の負レンズと１枚の正レンズの３枚構成としている。第２レンズ群は、変倍を担うレンズ群であるため、大きな負のパワーを有しており、２枚の負レンズを配置してパワーを分散させている。最小限の枚数の中で負のパワーを確保するために、第２レンズ群内の最も物体側の負レンズは両凹レンズとしている。さらに、正レンズを１枚配置することでペッツバール和の悪化を防ぎ、軸外の諸収差を補正している。また、何れかの負レンズと正レンズを接合レンズとすると、色収差補正上有効である。接合される正レンズとしてアッベ数が７０以上の硝材を用いると、効果的に色収差補正ができる。アッベ数が８０以上であるとより望ましい。
【００４３】
上記のように、第２レンズ群は変倍を担うレンズであるためパワーが強く、変倍時に収差の変動が大きくなりやすい。したがって、全変倍域で良好な性能を保つためには、第２レンズ群内で収差を取り去っておく必要がある。そのためには、第２レンズ群の最も物体側の負レンズの像側凹面を非球面とするとよい。特に非点収差の補正に効果的である。
【００４４】
次に、第３レンズ群に関して詳述する。
【００４５】
第３レンズ群には、正のパワーを持たせている。そうすると、後続群での光線高を低く抑えることができるので、光路を折り曲げたときの奥行き方向の厚みを薄くしても周辺光束のケラレが少なくてすみ、画面周辺での光量落ちを小さくすることができる。このレンズ群の作用は主に後続群の光線高を下げる作用であるので、１枚の正レンズがあれば充分である。もちろん２枚以上のレンズで構成して積極的に収差補正に活用してもよいが、コストが高くなるし、スペース的にも不利になる。また、第３レンズ群を単レンズで構成したときは、物体側に凸面を向けたメニスカス形状にするとよい。このような形状にすると、主点を物体側に近づけることができるため、第３レンズ群及びそれに後続する群での近軸結像倍率を大きくしやすくなる。
【００４６】
変倍時には像面に対して略固定とすると、レンズを駆動させるアクチュエータ等の部品点数を削減できるので、スペース面、コスト面で利点があるが、後述するように、絞りと一体として移動できるようにしてもよい。
【００４７】
次に、第４レンズ群に関して詳述する。
【００４８】
本発明において、第４レンズ群には、広角端よりも望遠端で物体側にあるように移動することで、変倍の機能を持たせている。しかしながら、本発明のような折り曲げ光学系では、第１レンズ群と第２レンズ群との合成系による像点、つまり第３レンズ群以後の合成系に対する物点が被写体側に遠くなりやすく、そのために、第３レンズ群以降の合成系の倍率が小さくなりがちで、第４レンズ群の移動の割に倍率が稼ぎ難くなりやすい。そこで、本発明の後記の実施例では、第４レンズ群のパワーをできるだけ強くかつ主点をできるだけ物体側に位置するように、第４レンズ群の内部構成は、物体側から正、正、負の構成にしている。収差補正上は、この中の正レンズと負レンズを接合レンズとするとよい。こうすると、軸上及び軸外の色収差を効果的に補正できる。また、何れかのレンズ面に非球面を１面以上配置すると、球面収差及びコマ収差補正に有効である。
【００４９】
次に、第５レンズ群に関して詳述する。
【００５０】
第５レンズ群は、電子撮像素子に入射する光線の角度を適切にする役割をしている。このレンズ群は、正のパワーとしてもよいし負のパワーとしてもよい。負のパワーにすると、レンズ全系での光線高を低くすることができるので、光路を折り曲げたときの奥行き方向の厚みを小さくしても周辺の光束がケラレ難くなり、画面周辺の光量を確保することができる。本発明の後記の実施例では、さらに収差補正の自由度を大きくするために変倍時に可動としているが、電子撮像素子に入射する光線の角度を適切にする役割という点では、変倍時に像面に対して固定としてもよい。
【００５１】
第５レンズ群のパワーに関しては、次の条件式を満足させるとよい。
【００５２】
（７）    ０．６＜｜ｆ5 ／ｆw ｜＜２０
（８）    ０．１＜｜ｆ5 ／ｆt ｜＜５．０
ただし、ｆ5 ：第５レンズ群の焦点距離、
ｆw ：広角端での全系焦点距離、
ｆt ：望遠端での全系焦点距離、
である。
【００５３】
第５レンズ群はフォーカシング群として用いることが可能であるが、条件式（７）及び（８）の上限のそれぞれ２０、５．０を越えると、第５レンズ群をフォーカシング群として用いるときに、無限遠から近接物点までの合焦時の移動量が大きくなり、コンパクト化に反する。下限のそれぞれ０．６、０．１を越えると、軸外光線が電子撮像素子上に結像する入射角度が大きくなるため、ＣＣＤ等の電子撮像素子に特有の画面周辺部での明るさの陰り（シェーディング）が発生しやすくなる。
【００５４】
なお、少なくとも以下の何れか一方を満たすと、さらによい。
【００５５】
（７’）  ０．８＜｜ｆ5 ／ｆw ｜＜１５．０
（８’）  ０．１５＜｜ｆ5 ／ｆt ｜＜４．０
さらに、少なくとも以下の何れか一方を満たすと、最もよい。
【００５６】
（７”）  １．０＜｜ｆ5 ／ｆw ｜＜１０．０
（８”）  ０．２＜｜ｆ5 ／ｆt ｜＜３．０
次に、開口絞りについて言及する。
【００５７】
開口絞りを配置する位置としては、第３レンズ群の直前、あるいは、第３レンズ群の直後に配置するのがよい。ここに配置すると、第１レンズ群を正パワーの群としているためＦ値を明るくしても開口径が大きくなり難い、光線高が比較的低くなる場所なのでシャッターアクチュエーターや絞り羽の退避スペースを確保しやすい。本発明の後記の実施例においては、第３レンズ群の直前に開口絞りを配置した構成としているが、第３レンズ群の直後に配置したとしても差し支えない。
【００５８】
また、開口絞りは位置固定としてもよいし、あるいは、移動群と一体で移動させてもよい。本発明の後記の実施例１及び実施例２については、開口絞りを像面に対して略固定とする構成としている。こうすると、絞り、シャッターアクチュエータ等の部材が移動するためのスペースが不要であるため、鏡枠ユニットにデッドスペースができ難く、レンズ駆動用のアクチュエータ等の他部材を配置するためのスペースが確保しやすい。実施例３及び実施例４については、絞りを第３レンズ群と一体として広角端で望遠端よりも物体側にあるように移動させている。このようにすると、広角端では絞りを物体側に移動させて入射瞳位置を浅くすることができるため、第１レンズ群内での光線高を低く抑え、光路の折り曲げを容易にすると共に、前玉系の大型化を防ぐことがより効果的に行える。
【００５９】
次に、フォーカシングについて言及する。
【００６０】
本発明の目的上、第１レンズ群は固定とするのがよく、また、本発明の構成では、変倍時に第２レンズ群の近軸結像倍率が−1 倍を挟みやすい。したがって、フォーカシングは第３レンズ群以後のレンズ群又はレンズ群の一部で行うのが好ましい。第３レンズ群、第４レンズ群、あるいは第５レンズ群の何れの群でフォーカシングを行ってもよいが、変倍時に移動する群をフォーカス群として用いると、変倍レンズ群駆動用のアクチュエータをフォーカシング駆動用として併用できるため、フォーカシング駆動のためのアクチュエータを別に用意しなくてもすみ、スペース及びコスト面で有利である。
【００６１】
ところで、本発明のズームレンズは、以下の条件式を満足することが望ましい。
【００６２】
（９）    ３．５＜ｆt ／ｆw ＜１０
ただし、ｆw ：広角端での全系焦点距離、
ｆt ：望遠端での全系焦点距離、
である。
【００６３】
この条件式（９）の上限の１０を越えると、変倍比が大きくなり、変倍時に移動するレンズ群の移動量が大きくなりすぎるために、光路を折り曲げた方向での大型化が起こり、コンパクトな撮像装置が構成できなくなる。下限の３．５を越えると、本発明よりも簡素な構成でも、目的を達成し得る。
【００６４】
なお、以下の条件を満たすと、さらによい。
【００６５】
（９’）  ４．０＜ｆt ／ｆw ＜９．０
さらに、以下の条件を満たすと、最もよい。
【００６６】
（９”）  ４．５＜ｆt ／ｆw ＜８．０
【発明の効果】
【００６７】
以上説明したように、本発明により、沈胴式鏡筒に見られるようなカメラの使用状態への立ち上げ時間（レンズのせり出し時間）がなく、防水・防塵上も好ましく、また、奥行き方向が極めて薄いカメラとするために、光学系の光路（光軸）をプリズム等の反射光学部材で折り曲げる構成がとりやすく、かつ、５倍程度の高変倍比で、高い光学性能を有する奥行き方向が極めて薄い安価なズームレンズを提供することができる。
【発明を実施するための最良の形態】
【００６８】
以下、本発明のズームレンズの実施例１〜４について説明する。実施例１〜４の無限遠物点合焦時の広角端（ａ）、中間状態（ｂ）、望遠端（ｃ）でのレンズ断面図をそれぞれ図１〜図４に示す。各図中、第１レンズ群はＧ１、第２レンズ群はＧ２、絞りはＳ、第３レンズ群はＧ３、第４レンズ群はＧ４、第５レンズ群はＧ５、光学的ローパスフィルターはＬＦ、電子撮像素子であるＣＣＤのカバーガラスはＣＧ、ＣＣＤの像面はＩで示してある。また、第１レンズ群中Ｇ１中の光路折り曲げプリズムを展開した平行平板はＰで示してある。なお、近赤外シャープカットコートについては、例えば光学的ローパスフィルターＬＦに直接コートを施こしてもよく、また、別に赤外カット吸収フィルターを配置してもよく、あるいは、透明平板の入射面に近赤外シャープカットコートしたものを用いてもよい。なお、光路折り曲げプリズムＰは、代表的には、光路を９０°折り曲げる反射プリズムとして構成される。
【００６９】
実施例１のズームレンズは、図１に示すように、物体側に凸面を向けた負メニスカスレンズと、光路折り曲げプリズムＰと、両凸正レンズとからなる第１レンズ群Ｇ１、両凹負レンズと、物体側に凸面を向けた負メニスカスレンズと物体側に凸面を向けた正メニスカスレンズの接合レンズとからなる第２レンズ群Ｇ２、開口絞りＳ、物体側に凸面を向けた正メニスカスレンズ１枚からなる第３レンズ群Ｇ３、物体側に凸面を向けた正メニスカスレンズと、両凸正レンズと像面側に凸面を向けた負メニスカスレンズの接合レンズとからなる第４レンズ群Ｇ４、両凹負レンズと物体側に凸面を向けた正メニスカスレンズの接合レンズとからなる第５レンズ群Ｇ５からなり、広角端から望遠端に変倍する際は、第１レンズ群Ｇ１は固定で、第２レンズ群Ｇ２は像面側へ移動し、第３レンズ群Ｇ３は開口絞りＳと共に固定で、第４レンズ群Ｇ４は物体側へ移動し、第５レンズ群Ｇ５は広角端から中間状態までほとんど移動せず、中間状態から望遠端にかけて第４レンズ群Ｇ４との間隔を略一定に保って物体側へ移動する。
【００７０】
非球面は、第１レンズ群Ｇ１の負メニスカスレンズの像面側の面、第４レンズ群Ｇ４の接合レンズの最も物体側の面の２面に用いられている。
【００７１】
実施例２のズームレンズは、図２に示すように、物体側に凸面を向けた負メニスカスレンズと、光路折り曲げプリズムＰと、両凸正レンズとからなる第１レンズ群Ｇ１、両凹負レンズと、物体側に凸面を向けた負メニスカスレンズと両凸正レンズの接合レンズとからなる第２レンズ群Ｇ２、開口絞りＳ、物体側に凸面を向けた正メニスカスレンズ１枚からなる第３レンズ群Ｇ３、両凸正レンズと、両凸正レンズと両凹負レンズの接合レンズとからなる第４レンズ群Ｇ４、物体側に凸面を向けた負メニスカスレンズと、両凸正レンズとからなる第５レンズ群Ｇ５からなり、広角端から望遠端に変倍する際は、第１レンズ群Ｇ１は固定で、第２レンズ群Ｇ２は像面側へ移動し、第３レンズ群Ｇ３は開口絞りＳと共に固定で、第４レンズ群Ｇ４は物体側へ移動し、第５レンズ群Ｇ５は像面側に凹の軌跡を描いて移動し、望遠端では広角端より像面側に位置する。
【００７２】
非球面は、第１レンズ群Ｇ１の負メニスカスレンズの像面側の面、第２レンズ群Ｇ２の両凹負レンズの像面側の面、第４レンズ群Ｇ４の単レンズの両凸正レンズの両面の４面に用いられている。
【００７３】
実施例３のズームレンズは、図３に示すように、物体側に凸面を向けた負メニスカスレンズと、光路折り曲げプリズムＰと、両凸正レンズとからなる第１レンズ群Ｇ１、両凹負レンズと、物体側に凸面を向けた負メニスカスレンズと物体側に凸面を向けた正メニスカスレンズの接合レンズとからなる第２レンズ群Ｇ２、開口絞りＳ、物体側に凸面を向けた正メニスカスレンズ１枚からなる第３レンズ群Ｇ３、両凸正レンズと、両凸正レンズと両凹負レンズの接合レンズとからなる第４レンズ群Ｇ４、両凸正レンズと、像面側に凸面を向けた負メニスカスレンズとからなる第５レンズ群Ｇ５からなり、広角端から望遠端に変倍する際は、第１レンズ群Ｇ１は固定で、第２レンズ群Ｇ２は像面側へ移動し、第３レンズ群Ｇ３は開口絞りＳと共に第２レンズ群Ｇ２との間隔を狭めながら像面側へ移動し、第４レンズ群Ｇ４は物体側に凸の軌跡を描いて移動し、望遠端では広角端より若干物体側に位置し、第５レンズ群Ｇ５は像面側に凹の軌跡を描いて移動し、望遠端では広角端より物体側に位置する。
【００７４】
非球面は、第１レンズ群Ｇ１の負メニスカスレンズの像面側の面、第２レンズ群Ｇ２の両凹負レンズの像面側の面、第４レンズ群Ｇ４の単レンズの両凸正レンズの両面の４面に用いられている。
【００７５】
実施例４のズームレンズは、図４に示すように、物体側に凸面を向けた負メニスカスレンズと、光路折り曲げプリズムＰと、両凸正レンズとからなる第１レンズ群Ｇ１、両凹負レンズと、物体側に凸面を向けた負メニスカスレンズと物体側に凸面を向けた正メニスカスレンズの接合レンズとからなる第２レンズ群Ｇ２、開口絞りＳ、物体側に凸面を向けた正メニスカスレンズ１枚からなる第３レンズ群Ｇ３、両凸正レンズと、両凸正レンズと両凹負レンズの接合レンズとからなる第４レンズ群Ｇ４、両凸正レンズと、像面側に凸面を向けた負メニスカスレンズとからなる第５レンズ群Ｇ５からなり、広角端から望遠端に変倍する際は、第１レンズ群Ｇ１は固定で、第２レンズ群Ｇ２は像面側へ移動し、第３レンズ群Ｇ３は開口絞りＳと共に第２レンズ群Ｇ２との間隔を狭めながら像面側へ移動し、第４レンズ群Ｇ４は物体側に凸の軌跡を描いて移動し、望遠端では広角端より若干像面側に位置し、第５レンズ群Ｇ５は像面側に凹の軌跡を描いて移動し、望遠端では広角端より物体側に位置する。
【００７６】
非球面は、第１レンズ群Ｇ１の負メニスカスレンズの像面側の面、第２レンズ群Ｇ２の両凹負レンズの像面側の面、第４レンズ群Ｇ４の単レンズの両凸正レンズの両面の４面に用いられている。
【００７７】
以下に、上記各実施例の数値データを示すが、記号は上記の外、ｆは全系焦点距離、ＦNOはＦナンバー、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【００７８】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10
ただし、ｒは近軸曲率半径、Ｋは円錐係数、Ａ4 、Ａ6 、Ａ8 はそれぞれ４次、６次、８次の、１０次の非球面係数である。
【００７９】
実施例１
ｒ1 =    54.570             ｄ1 =  0.90     ｎd1 =1.84666 νd1 =23.78 
ｒ2 =    11.000 （非球面）  ｄ2 =  1.81     
ｒ3 =     ∞                ｄ3 = 10.00     ｎd2 =1.72916 νd2 =54.68 
ｒ4 =     ∞                ｄ4 =  0.10     
ｒ5 =    30.910             ｄ5 =  1.72     ｎd3 =1.72916 νd3 =54.68 
ｒ6 =   -14.405             ｄ6 = （可変）  
ｒ7 =   -26.160             ｄ7 =  0.80     ｎd4 =1.78800 νd4 =47.37 
ｒ8 =    14.011             ｄ8 =  0.63     
ｒ9 =   457.967             ｄ9 =  0.80     ｎd5 =1.78800 νd5 =47.37 
ｒ10=     6.650             ｄ10=  1.24     ｎd6 =1.84666 νd6 =23.78 
ｒ11=    16.769             ｄ11= （可変）  
ｒ12=     ∞（絞り）        ｄ12=  0.20     
ｒ13=    12.661             ｄ13=  1.05     ｎd7 =1.60342 νd7 =38.03 
ｒ14=   167.903             ｄ14= （可変）  
ｒ15=     7.883             ｄ15=  2.10     ｎd8 =1.49700 νd8 =81.54 
ｒ16=   418.441             ｄ16=  0.10     
ｒ17=    24.648 （非球面）  ｄ17=  2.37     ｎd9 =1.48749 νd9 =70.23 
ｒ18=    -6.463             ｄ18=  0.80     ｎd10=1.80518 νd10=25.42 
ｒ19=    -8.662             ｄ19= （可変）  
ｒ20=   -66.837             ｄ20=  0.80     ｎd11=1.80100 νd11=34.97 
ｒ21=     5.161             ｄ21=  1.43     ｎd12=1.49700 νd12=81.54 
ｒ22=    13.360             ｄ22= （可変）  
ｒ23=     ∞                ｄ23=  1.53     ｎd13=1.68893 νd13=31.07 
ｒ24=     ∞                ｄ24=  1.00     
ｒ25=     ∞                ｄ25=  0.69     ｎd14=1.51633 νd14=64.14 
ｒ26=     ∞                ｄ26=  0.92     
ｒ27=     ∞（像面）        
非球面係数
第２面
Ｋ  =  0.931
Ａ4 =  5.91710×10-5
Ａ6 =  2.90815×10-6
Ａ8 = -1.08556×10-7
Ａ10=  2.24559×10-9
第１７面
Ｋ  =-29.246
Ａ4 = -5.70286×10-4
Ａ6 = -1.28534×10-5
Ａ8 =  2.15879×10-7
Ａ10=  2.23253×10-10 
ズームデータ（∞）
ＷＥ            ＳＴ            ＴＥ
ｆ (mm)             6.300          16.000          30.000 
ＦNO                3.45            3.50            5.12
ｄ6                 0.80            9.79           12.48
ｄ11               12.16            3.17            0.50
ｄ14                6.29            4.81            0.60
ｄ19                0.80            2.28            2.29
ｄ22                7.91            7.91           12.11                    。
【００８０】
実施例２
ｒ1 =    74.286             ｄ1 =  1.20     ｎd1 =1.84666 νd1 =23.78 
ｒ2 =    16.623 （非球面）  ｄ2 =  1.80     
ｒ3 =     ∞                ｄ3 = 10.40     ｎd2 =1.83400 νd2 =37.16 
ｒ4 =     ∞                ｄ4 =  0.10     
ｒ5 =    41.599             ｄ5 =  2.96     ｎd3 =1.72916 νd3 =54.68 
ｒ6 =   -16.304             ｄ6 = （可変）  
ｒ7 =   -15.059             ｄ7 =  1.00     ｎd4 =1.80610 νd4 =40.71 
ｒ8 =     6.734 （非球面）  ｄ8 =  1.03     
ｒ9 =    18.973             ｄ9 =  1.09     ｎd5 =1.49700 νd5 =81.54 
ｒ10=    15.343             ｄ10=  1.63     ｎd6 =1.84666 νd6 =23.78 
ｒ11=   -68.348             ｄ11= （可変）  
ｒ12=     ∞（絞り）        ｄ12=  0.94     
ｒ13=    13.909             ｄ13=  1.07     ｎd7 =1.84666 νd7 =23.78 
ｒ14=    17.903             ｄ14= （可変）  
ｒ15=     7.640 （非球面）  ｄ15=  3.15     ｎd8 =1.48749 νd8 =70.23 
ｒ16=   -13.821 （非球面）  ｄ16=  1.30     
ｒ17=    17.122             ｄ17=  1.72     ｎd9 =1.72916 νd9 =54.68 
ｒ18=  -108.235             ｄ18=  1.83     ｎd10=1.80518 νd10=25.43 
ｒ19=     5.564             ｄ19= （可変）  
ｒ20=    11.442             ｄ20=  0.81     ｎd11=1.62004 νd11=36.26 
ｒ21=     7.159             ｄ21=  0.56     
ｒ22=    12.564             ｄ22=  2.81     ｎd12=1.49700 νd12=81.54 
ｒ23=   -10.291             ｄ23= （可変）  
ｒ24=     ∞                ｄ24=  0.76     ｎd13=1.54771 νd13=62.84 
ｒ25=     ∞                ｄ25=  0.55     
ｒ26=     ∞                ｄ26=  0.50     ｎd14=1.51633 νd14=64.14 
ｒ27=     ∞                ｒ27=  1.00     
ｒ28=     ∞（像面）        
非球面係数
第２面
Ｋ  =  2.400
Ａ4 =  4.59578×10-5
Ａ6 = -9.81088×10-8
Ａ8 =  1.00772×10-8
Ａ10= -2.64529×10-10 
第８面
Ｋ  = -1.216
Ａ4 = -2.92326×10-4
Ａ6 =  1.91909×10-6
Ａ8 =  8.81161×10-9
Ａ10=  5.50564×10-10 
第１５面
Ｋ  = -1.891
Ａ4 =  1.53592×10-4
Ａ6 = -1.45143×10-6
Ａ8 = -2.59228×10-8
Ａ10= -1.57617×10-8
第１６面
Ｋ  =  0.000
Ａ4 =  2.35911×10-4
Ａ6 = -1.82835×10-6
Ａ8 = -1.45114×10-7
Ａ10= -1.35956×10-8
ズームデータ（∞）
ＷＥ            ＳＴ            ＴＥ
ｆ (mm)             6.460          13.870          31.000 
ＦNO                3.55            4.33            5.51
ｄ6                 1.00            8.11           13.94
ｄ11               13.94            6.83            1.00
ｄ14                7.74            3.68            1.00
ｄ19                6.51            9.87           14.55
ｄ23                2.10            2.80            0.80                    。
【００８１】
実施例３
ｒ1 =    78.483             ｄ1 =  1.00     ｎd1 =1.84666 νd1 =23.78 
ｒ2 =    18.069 （非球面）  ｄ2 =  1.80     
ｒ3 =     ∞                ｄ3 =  9.00     ｎd2 =1.83400 νd2 =37.16 
ｒ4 =     ∞                ｄ4 =  0.10     
ｒ5 =    31.063             ｄ5 =  2.80     ｎd3 =1.72916 νd3 =54.68 
ｒ6 =   -17.895             ｄ6 = （可変）  
ｒ7 =   -18.058             ｄ7 =  0.80     ｎd4 =1.80610 νd4 =40.92 
ｒ8 =     5.817 （非球面）  ｄ8 =  0.81     
ｒ9 =    11.223             ｄ9 =  0.97     ｎd5 =1.49700 νd5 =81.54 
ｒ10=     7.232             ｄ10=  1.60     ｎd6 =1.84666 νd6 =23.78 
ｒ11=    14.472             ｄ11= （可変）  
ｒ12=     ∞（絞り）        ｄ12=  0.50     
ｒ13=    14.817             ｄ13=  1.29     ｎd7 =1.84666 νd7 =23.78 
ｒ14=    30.226             ｄ14= （可変）  
ｒ15=     9.698 （非球面）  ｄ15=  2.16     ｎd8 =1.58313 νd8 =59.46 
ｒ16=   -23.279 （非球面）  ｄ16=  0.81     
ｒ17=    20.426             ｄ17=  1.87     ｎd9 =1.49700 νd9 =81.54 
ｒ18=   -14.642             ｄ18=  1.00     ｎd10=1.80518 νd10=25.42 
ｒ19=    21.707             ｄ19= （可変）  
ｒ20=    12.713             ｄ20=  2.37     ｎd11=1.49700 νd11=81.54 
ｒ21=   -11.490             ｄ21=  0.50     
ｒ22=    -7.663             ｄ22=  0.95     ｎd12=1.80400 νd12=46.57 
ｒ23=   -20.161             ｄ23= （可変）  
ｒ24=     ∞                ｄ24=  0.76     ｎd13=1.54771 νd13=62.84 
ｒ25=     ∞                ｄ25=  0.55     
ｒ26=     ∞                ｄ26=  0.50     ｎd14=1.51633 νd14=64.14 
ｒ27=     ∞                ｒ27=  1.00     
ｒ28=     ∞（像面）        
非球面係数
第２面
Ｋ  =  2.936
Ａ4 =  3.24925×10-5
Ａ6 =  4.62074×10-9
Ａ8 =  1.55496×10-9
Ａ10= -7.19302×10-11 
第８面
Ｋ  = -0.670
Ａ4 = -2.37774×10-4
Ａ6 =  7.13029×10-7
Ａ8 = -2.82712×10-7
Ａ10=  1.56507×10-8
第１５面
Ｋ  = -0.413
Ａ4 = -4.12802×10-5
Ａ6 = -2.89356×10-7
Ａ8 = -2.10358×10-7
Ａ10=  0
第１６面
Ｋ  =  0.000
Ａ4 =  1.11835×10-4
Ａ6 = -1.08237×10-6
Ａ8 = -3.07602×10-7
Ａ10=  3.63304×10-9
ズームデータ（∞）
ＷＥ            ＳＴ            ＴＥ
ｆ (mm)             6.460          13.870          31.000 
ＦNO                3.57            4.36            4.42
ｄ6                 1.00            8.55           16.21
ｄ11                6.69            3.81            1.00
ｄ14               10.54            4.01            1.00
ｄ19                9.83            6.66            7.54
ｄ23                1.80            6.83            4.11                    。
【００８２】
実施例４
ｒ1 =    74.395             ｄ1 =  1.00     ｎd1 =1.84666 νd1 =23.78 
ｒ2 =    17.823 （非球面）  ｄ2 =  1.80     
ｒ3 =     ∞                ｄ3 =  9.87     ｎd2 =1.83400 νd2 =37.16 
ｒ4 =     ∞                ｄ4 =  0.10     
ｒ5 =    35.551             ｄ5 =  2.74     ｎd3 =1.72916 νd3 =54.68 
ｒ6 =   -17.149             ｄ6 = （可変）  
ｒ7 =   -21.180             ｄ7 =  0.80     ｎd4 =1.80610 νd4 =40.92 
ｒ8 =     5.516 （非球面）  ｄ8 =  0.72     
ｒ9 =     8.846             ｄ9 =  1.05     ｎd5 =1.49700 νd5 =81.54 
ｒ10=     6.611             ｄ10=  1.56     ｎd6 =1.84666 νd6 =23.78 
ｒ11=    10.991             ｄ11= （可変）  
ｒ12=     ∞（絞り）        ｄ12=  0.50     
ｒ13=    12.024             ｄ13=  1.31     ｎd7 =1.84666 νd7 =23.78 
ｒ14=    23.772             ｄ14= （可変）  
ｒ15=     9.006 （非球面）  ｄ15=  2.03     ｎd8 =1.58313 νd8 =59.46 
ｒ16=   -48.129 （非球面）  ｄ16=  0.49     
ｒ17=    19.488             ｄ17=  1.98     ｎd9 =1.49700 νd9 =81.54 
ｒ18=   -12.052             ｄ18=  1.00     ｎd10=1.80518 νd10=25.42 
ｒ19=    35.997             ｄ19= （可変）  
ｒ20=    12.563             ｄ20=  2.35     ｎd11=1.49700 νd11=81.54 
ｒ21=   -10.563             ｄ21=  0.55     
ｒ22=    -6.788             ｄ22=  0.89     ｎd12=1.80400 νd12=46.57 
ｒ23=   -19.068             ｄ23= （可変）  
ｒ24=     ∞                ｄ24=  0.76     ｎd13=1.54771 νd13=62.84 
ｒ25=     ∞                ｄ25=  0.55     
ｒ26=     ∞                ｄ26=  0.50     ｎd14=1.51633 νd14=64.14 
ｒ27=     ∞                ｒ27=  1.00     
ｒ28=     ∞（像面）        
非球面係数
第２面
Ｋ  =  3.015
Ａ4 =  3.50177×10-5
Ａ6 =  7.94243×10-9
Ａ8 =  2.91877×10-9
Ａ10= -1.20085×10-10 
第８面
Ｋ  = -0.606
Ａ4 = -1.87418×10-4
Ａ6 =  4.40367×10-7
Ａ8 = -8.67768×10-7
Ａ10=  8.72107×10-8
第１５面
Ｋ  = -0.244
Ａ4 = -9.38372×10-6
Ａ6 =  3.69153×10-8
Ａ8 = -2.88283×10-7
Ａ10=  0
第１６面
Ｋ  =  0.000
Ａ4 =  1.36917×10-4
Ａ6 = -9.90255×10-7
Ａ8 = -4.95194×10-7
Ａ10=  7.90654×10-9
ズームデータ（∞）
ＷＥ            ＳＴ            ＴＥ
ｆ (mm)             6.460          14.072          31.000 
ＦNO                3.58            4.39            4.19
ｄ6                 1.00            8.92           17.05
ｄ11                6.40            3.70            1.00
ｄ14               10.66            3.82            1.00
ｄ19                9.61            5.67            6.30
ｄ23                1.80            7.37            4.11                    。
【００８３】
以上の実施例１〜４の無限遠物点合焦時の収差図をそれぞれ図５〜図８に示す。これらの収差図において、（ａ）は広角端、（ｂ）は中間状態、（ｃ）は望遠端における球面収差、非点収差、歪曲収差、倍率色収差を示す。各図中、“ＦＩＹ”は最大像高を示す。
【００８４】
次に、上記各実施例における条件式（１）〜（９）の値を示す。
【００８５】
条件式  実施例１  実施例２  実施例３  実施例４
（１）    1.19      1.59      1.03      1.00
（２）    1.41      2.83      2.43      2.44
（３）    1.19      1.80      1.97      1.97
（４）    1.00      1.16      1.13      1.15
（５）    0.91      0.94      0.93      0.94
（６）    3.25      3.66      3.51      3.52
（７）    1.43      2.76      7.18      9.62
（８）    0.30      0.58      1.50      2.00
（９）    4.76      4.80      4.80      4.80
。
【００８６】
さて、以上のような本発明のズームレンズで物体像を形成しその像をＣＣＤ等の電子撮像素子に受光させて撮影を行う電子撮影装置、とりわけデジタルカメラやビデオカメラ等に用いることができる。以下に、その実施形態を例示する。
【００８７】
図９〜図１１は、本発明によるズームレンズをデジタルカメラの撮影光学系４１に組み込んだ構成の概念図を示す。図９はデジタルカメラ４０の外観を示す前方斜視図、図１０は同後方斜視図、図１１はデジタルカメラ４０の構成を示す断面図である。デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含み、カメラ４０の上部に配置されたシャッター４５を押圧すると、それに連動して撮影光学系４１、例えば実施例１の光路折り曲げズームレンズを通して撮影が行われる。撮影光学系４１によって形成された物体像が、近赤外カットフィルターと光学的ローパスフィルターＬＦを介してＣＣＤ４９の撮像面上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【００８８】
さらに、ファインダー用光路４４上にはファインダー用対物光学系５３が配置してある。このファインダー用対物光学系５３によって形成された物体像は、像正立部材であるポロプリズム５５の視野枠５７上に形成される。このポリプリズム５５の後方には、正立正像にされた像を観察者眼球Ｅに導く接眼光学系５９が配置されている。なお、撮影光学系４１及びファインダー用対物光学系５３の入射側、接眼光学系５９の射出側にそれぞれカバー部材５０が配置されている。
【００８９】
このように構成されたデジタルカメラ４０は、撮影光学系４１が５倍程度の高変倍比で、高い光学性能を有するズームレンズであるので、高性能で、奥行き方向が極めて薄い安価なデジタルカメラが実現できる。
【００９０】
なお、図１１の例では、カバー部材５０として平行平面板を配置しているが、パワーを持ったレンズを用いてもよい。あるいは、省いてもよい。
【図面の簡単な説明】
【００９１】
【図１】本発明のズームレンズの実施例１の無限遠物点合焦時の広角端（ａ）、中間状態（ｂ）、望遠端（ｃ）でのレンズ断面図である。
【図２】実施例２のズームレンズの図１と同様のレンズ断面図である。
【図３】実施例３のズームレンズの図１と同様のレンズ断面図である。
【図４】実施例４のズームレンズの図１と同様のレンズ断面図である。
【図５】実施例１の無限遠物点合焦時の収差図である。
【図６】実施例２の無限遠物点合焦時の収差図である。
【図７】実施例３の無限遠物点合焦時の収差図である。
【図８】実施例４の無限遠物点合焦時の収差図である。
【図９】本発明による光路折り曲げズームレンズを組み込んだデジタルカメラの外観を示す前方斜視図である。
【図１０】図９のデジタルカメラの後方斜視図である。
【図１１】図９のデジタルカメラの断面図である。
【符号の説明】
【００９２】
Ｇ１…第１レンズ群
Ｇ２…第２レンズ群
Ｇ３…第３レンズ群
Ｇ４…第４レンズ群
Ｇ５…第５レンズ群
Ｐ…平行平板（光路折り曲げプリズム）
Ｓ…開口絞り
ＬＦ…光学的ローパスフィルター
ＣＧ…カバーガラス
Ｉ…像面
Ｅ…観察者眼球
４０…デジタルカメラ
４１…撮影光学系
４２…撮影用光路
４３…ファインダー光学系
４４…ファインダー用光路
４５…シャッター
４６…フラッシュ
４７…液晶表示モニター
４９…ＣＣＤ
５０…カバー部材
５１…処理手段
５２…記録手段
５３…ファインダー用対物光学系
５５…ポロプリズム
５７…視野枠
５９…接眼光学系
【図１】
2006098686.tif 000003
【図２】
2006098686.tif 000004
【図３】
2006098686.tif 000005
【図４】
2006098686.tif 000006
【図５】
2006098686.tif 000007
【図６】
2006098686.tif 000008
【図７】
2006098686.tif 000009
【図８】
2006098686.tif 000010
【図９】
2006098686.tif 000011
【図１０】
2006098686.tif 000012
【図１１】
2006098686.tif 000013